(57)【要約】【課題】  複数の積層構成を持つ光ディスクに対応した正確なフォーカスサーボを実現する光ピックアップおよび情報処理装置を実現する。【解決手段】  複数の積層された記録層を有する光ディスクに対するデータの記録または再生に適用する光ピックアップにおいて、レンズを介して入力する光ディスクからの反射光中、所定半径の外側の外周部光を分離し、この外周光をフォーカスサーボ用検出光としてフォトディテクタに入力してフォーカスサーボを行なう。本構成により、焦点制御の目的層からの光成分のみが正確な収差補正がなされ、焦点制御の目的とする層以外の他層からの光、いわゆる層間迷光については正確な収差補正のなされないぼやけた光となり、焦点制御の目的層からの光成分を効率的に集光し、これを検出光としたサーボが可能となり、より正確な制御が実現される。【選択図】  図４
2006338758.tif 000002
【特許請求の範囲】
【請求項１】
光ディスクに対する情報の記録または再生に適用する光ピックアップであり、
レンズを介して入力した光ディスクからの反射光の外周部の光をフォーカスサーボ用検出光として分離する光分離手段と、
前記光分離手段によって分離されたフォーカスサーボ用検出光を入力し、光電変換処理によりフォーカスサーボ信号を出力するフォトディテクタと、
を有することを特徴とする光ピックアップ。
【請求項２】
前記光分離手段は、
光ディスクからの反射光の経路上に配置された液晶パネルと、偏光ビームスプリッタを含む構成であり、
前記液晶パネルは、選択的な配向制御を可能とした液晶を含む構成を有することを特徴とする請求項１に記載の光ピックアップ。
【請求項３】
前記フォトディテクタは、前記光分離手段によって分離されたフォーカスサーボ用検出光を入力し、非点収差法に基づいてフォーカスサーボ信号を出力する構成であることを特徴とする請求項１に記載の光ピックアップ。
【請求項４】
前記光分離手段は、
光ディスクからの反射光の外周部の光をフォーカスサーボ用検出光として分離し、光ディスクからの反射光の内周部の光を光ディスクからの再生信号として信号検出部に出力する構成であることを特徴とする請求項１に記載の光ピックアップ。
【請求項５】
前記光分離手段は、
光ディスクからの反射光における所定半径より外周部の光をフォーカスサーボ用検出光とし、前記所定半径より内周部の光を再生信号光として分離する構成であり、前記所定半径は、システム規格に応じたレンズの開口数（ＮＡ）に応じて決定される大きさであることを特徴とする請求項４に記載の光ピックアップ。
【請求項６】
前記システム規格に応じたレンズの開口数（ＮＡ）は、ＤＶＤ規格における開口数（ＮＡ）＝０．６、または高密度ＤＶＤ規格における開口数（ＮＡ）＝０．８５であることを特徴とする請求項５に記載の光ピックアップ。
【請求項７】
前記光ピックアップは、さらに、
光ディスクに形成された複数の記録層各々に対応した収差補正量に基づく収差補正を実行する収差補正素子、および該収差補正素子の制御を実行する収差補正素子制御手段を有する構成であることを特徴とする請求項１に記載の光ピックアップ。
【請求項８】
前記収差補正素子制御手段は、
異なる収差補正量を選択的に適用して、前記収差補正素子の制御を行う構成であり、
光ディスクが単層ディスクであるか、多層ディスクであるか、さらに、多層ディスクである場合は、いずれの層に対するデータ記録再生を実行する設定であるかを検出するディスク判別手段からの検出信号に基づいて、適用する収差補正量を選択し、選択補正量に基づく収差補正素子の制御を実行する構成であることを特徴とする請求項７に記載の光ピックアップ。
【請求項９】
複数の記録層を有する光ディスクに対する情報の記録または再生を実行する情報処理装置であり、
光ディスクに対する記録または再生信号の入出力を行なう光ピックアップを有し、
前記光ピックアップは、
レンズを介して入力した光ディスクからの反射光の外周部の光をフォーカスサーボ用検出光として分離する光分離手段と、
前記光分離手段によって分離されたフォーカスサーボ用検出光を入力し、光電変換処理によりフォーカスサーボ信号を出力するフォトディテクタと、
を有することを特徴とする情報処理装置。
【請求項１０】
前記情報処理装置は、さらに、
光ディスクが単層ディスクであるか、多層ディスクであるかを判別し、さらに、多層ディスクである場合は、いずれの層に対するデータ記録再生を実行する設定であるかを検出するディスク判別手段と、
前記ディスク判別手段の判別信号を入力し、入力判別信号に応じて、予め設定された収差補正量に従って、記録または再生信号光路上に設定された収差補正素子の制御を実行する収差補正素子制御手段と、
を有する構成であることを特徴とする請求項９に記載の情報処理装置。
【請求項１１】
前記光ピックアップにおける光分離手段は、
光ディスクからの反射光の経路上に配置された液晶パネルと、偏光ビームスプリッタを含む構成であり、
前記液晶パネルは、選択的な配向制御を可能とした液晶を含む構成を有することを特徴とする請求項９に記載の情報処理装置。
【請求項１２】
前記光ピックアップにおけるフォトディテクタは、前記光分離手段によって分離されたフォーカスサーボ用検出光を入力し、非点収差法に基づいてフォーカスサーボ信号を出力する構成であることを特徴とする請求項９に記載の情報処理装置。
【請求項１３】
前記光ピックアップにおける光分離手段は、
光ディスクからの反射光の外周部の光をフォーカスサーボ用検出光として分離し、光ディスクからの反射光の内周部の光を光ディスクからの再生信号として信号検出部に出力する構成であることを特徴とする請求項９に記載の情報処理装置。
【請求項１４】
前記光ピックアップにおける光分離手段は、
光ディスクからの反射光における所定半径より外周部の光をフォーカスサーボ用検出光とし、前記所定半径より内周部の光を再生信号光として分離する構成であり、前記所定半径は、システム規格に応じたレンズの開口数（ＮＡ）に応じて決定される大きさであることを特徴とする請求項１３に記載の情報処理装置。
【請求項１５】
前記システム規格に応じたレンズの開口数（ＮＡ）は、ＤＶＤ規格における開口数（ＮＡ）＝０．６、または高密度ＤＶＤ規格における開口数（ＮＡ）＝０．８５であることを特徴とする請求項１４に記載の情報処理装置。
【請求項１６】
情報処理方法であり、
レンズを介して入力した光ディスクからの反射光の外周部の光をフォーカスサーボ用検出光として分離する光分離ステップと、
前記光分離ステップにおいて分離されたフォーカスサーボ用検出光を入力し、光電変換処理によりフォーカスサーボ信号を出力するフォーカスサーボ信号出力ステップと、
を有することを特徴とする情報処理方法。
【請求項１７】
前記情報処理方法は、さらに、
光ディスクが単層ディスクであるか、多層ディスクであるかを判別し、さらに、多層ディスクである場合は、いずれの層に対するデータ記録再生を実行する設定であるかを検出するディスク判別ステップと、
前記ディスク判別ステップにおける判別信号を入力し、入力判別信号に応じて、予め設定された収差補正量に従って、記録または再生信号光路上に設定された収差補正素子の制御を実行する収差補正素子制御ステップと、
を有することを特徴とする請求項１６に記載の情報処理方法。
【発明の詳細な説明】
【技術分野】
【０００１】
本発明は、光ピックアップ、および情報処理装置、並びに情報処理方法に関する。さらに、詳細には、複数の記録層を有するディスクを利用したデータ記録または再生に適用する光ピックアップ、および光ピックアップを適用した情報処理装置、並びに情報処理方法に関する。
【背景技術】
【０００２】
近年、デジタルデータの記録・再生メディアとして光ディスク（光磁気ディスクを含む）が多く用いられている。例えば、ＣＤ（Ｃｏｍｐａｃｔ  Ｄｉｓｋ），ＭＤ（Ｍｉｎｉ−Ｄｉｓｋ），ＤＶＤ（Ｄｉｇｉｔａｌ  Ｖｅｒｓａｔｉｌｅ  Ｄｉｓｋ）などである。
【０００３】
光ディスク用の光ピックアップは、よく知られているように、例えば図１に示す構成を持つ。図１において、半導体レーザー１００から出力されたレーザー光は、コリメータレンズ１０２によって平行光化された後、回折格子１０４に入射し、ここで主ビームに加えてトラッキング用の副ビームが形成される。各ビームは、偏光ビームスプリッタ１０６を介して１／４波長板１０８に入射し、これによる偏光回転を受け、更には対物レンズ１１０で収束されて光ディスク１１２に入射する。
【０００４】
光ディスク１１２で反射したレーザービームは、対物レンズ１１０，１／４波長板１０８を順に通過して、偏光ビームスプリッタ１０６に入射する。ここで、レーザービームは、光ディスク１１２に対する往路及び復路で１／４波長板１０８を通過する。このため、偏光ビームスプリッタ１０６に入射する往路のレーザービームと比較して、復路のレーザービームの偏光軸が９０度異なるようになり、復路のレーザービームは偏光ビームスプリッタ１０６で反射されるようになる。
【０００５】
偏光ビームスプリッタ１０６で反射された復路のレーザービームは、集光レンズ１１４、円筒レンズ１１６をそれぞれ介してフォトディテクタ１１８に集光入射する。フォトディテクタ１１８上に形成される主ビームのスポットは、光ディスク１１２上におけるフォーカス位置のずれに応じて楕円に変化するが、円筒レンズ１１６によるレンズ作用により、ずれの方向に応じて楕円の方向が異なるように変化する。これをフォトディテクタ１１８で検出することで、フォーカス制御用の信号を得ることができる。また、副ビームの光量をフォトディテクタ１１８で検出することで、トラッキング制御用の信号を得ることができる。
【０００６】
光ディスクの一種である例えばＤＶＤにおいては、高画質データとしてのＨＤ（Ｈｉｇｈ  Ｄｅｆｉｎｉｔｉｏｎ）画像の記録再生などのために大容量化が図られている。具体的には、例えば青色レーザー光を利用したブルーレイディスク（Ｂｌｕ−ｒａｙ  Ｄｉｓｃ）などの高密度光ディスクが開発されている。これは、レーザー光の短波長化により高密度化を実現するものであるが、さらにディスクの大容量化を実現する技術として記録層の多層構造化がある。例えば記録層を２層とすることにより、ディスクの記録容量を大幅に増加させることができる。
【０００７】
多層型の光ディスクの構成例について、図２を参照して説明する。図２に示す光ディスク１５０は、記録層を２層に形成した例である。基板１５１上に第１の記録層１５２が形成されており、その上に、中間層１５３を介して第２の記録層１５４が形成されている。第２の記録層１５４上には、保護層１５５が形成されている。光ピックアップからのレーザー光は、基板１５１側から記録層１５２あるいは記録層１５４に入射する。
【０００８】
このような多層型の光ディスクに、上述した図１に示す構成を持つ光ピックアップを適用したとすると、レーザー光入射側のディスク表面から記録層１５２，１５４に至る厚みが異なるため、球面収差が発生してフォトディテクタ１１８の検出信号が劣化してしまう。また、目的とする記録層以外の記録層からの戻り光（層間迷光）も生じ、これも検出信号の劣化の要因となる。
【０００９】
このような多層ディスクにおいて、記録または再生処理の目的とする記録層以外の記録層からの戻り光（層間迷光）による検出光における信号劣化を抑制する従来技術として、例えば特許文献１に記載された光ピックアップがある。図３に、同特許文献１に記載の光ピックアップの構成図を示す。
【００１０】
光ディスク１７０は４層の記録層１７０ａ〜ｄの積層構造を有する。各記録層に対するフォーカス検出は、ピンホール１７２を介して光ディスク１７０からの反射光を検出する共焦点法によって行なわれ、フォーカス信号は検出器１７４よりフォーカス制御系１７６に与えられる。一方、トラッキング信号は、２分割の検出器１７８から、トラッキング制御系１８０に与えられる。記録層選択制御系１８２が、球面収差補正系（焦点調節補正系）１７６を介して、目的の記録層の位置に対応してレンズ１８４，１８６を光軸方向に移動することで、フォーカス制御が行なわれ、各記録層１７０ａ〜ｄの距離の違いによって生ずる光ピックアップ光学系の球面収差の補正を行なう構成である。
【００１１】
しかしながら、この構成のように検出器１７４の直前の光軸上にピンホール１７２を配置する方法では、フォーカス制御手段として広く知られ、精度の高い合焦が可能な非点収差法を適用したフォーカス制御手段を用いることができず、正確なフォーカス制御ができないという欠点がある。
【００１２】
また、特許文献２は、電気的に制御可能な球面収差補正素子を設け、ピンホール検出法による検出信号に基づいて、球面収差補正を行い最適な球面収差補正処理を実行する構成を開示している。しかし、この文献においても、ピンホール検出法による検出信号を適用する構成であり、非点収差法を適用したフォーカス制御手段を用いた構成における層間迷光などに対する対策については言及されていない。
【００１３】
積層された記録層を持つ多層型ディスクにおいて、非点収差法を適用したフォーカス制御手段を用いてフォーカス制御を実行すると、焦点制御の目的とする層以外の記録層からの戻り光（層間迷光）の混在により、正確なフォーカス制御が実行できず、フォーカスエラーが発生するという問題点がある。
【特許文献１】特開２００１−１５５３７１号公報
【特許文献２】特開２００３−３２３７３６号公報
【発明の開示】
【発明が解決しようとする課題】
【００１４】
本発明は、このような状況に鑑みてなされたものであり、複数の記録層を有する多層型のディスクを適用したデータ記録再生を行なう構成において、焦点制御の目的とする層以外の記録層からの戻り光（層間迷光）の混在による、フォーカス制御エラーを回避し、正確なフォーカス制御を実現することを可能とした光ピックアップ、および情報処理装置、並びに情報処理方法を提供することを目的とする。
【００１５】
特に、本発明は、非点収差法を適用したフォーカス制御手段を用いた構成において、フォーカス制御手段に入射する光成分を制御し、焦点制御の目的とする層以外の記録層からの戻り光（層間迷光）の混在率を低減して、焦点制御の目的とする層からの戻り光の割合を高めた入射光に基づいて非点収差法を適用したフォーカス制御を実行することで、正確なフォーカス制御を実現することを可能とした光ピックアップ、および情報処理装置、並びに情報処理方法を提供することを目的とする。
【課題を解決するための手段】
【００１６】
本発明の第１の側面は、
光ディスクに対する情報の記録または再生に適用する光ピックアップであり、
レンズを介して入力した光ディスクからの反射光の外周部の光をフォーカスサーボ用検出光として分離する光分離手段と、
前記光分離手段によって分離されたフォーカスサーボ用検出光を入力し、光電変換処理によりフォーカスサーボ信号を出力するフォトディテクタと、
を有することを特徴とする光ピックアップにある。
【００１７】
さらに、本発明の光ピックアップの一実施態様において、前記光分離手段は、光ディスクからの反射光の経路上に配置された液晶パネルと、偏光ビームスプリッタを含む構成であり、前記液晶パネルは、選択的な配向制御を可能とした液晶を含む構成を有することを特徴とする。
【００１８】
さらに、本発明の光ピックアップの一実施態様において、前記フォトディテクタは、前記光分離手段によって分離されたフォーカスサーボ用検出光を入力し、非点収差法に基づいてフォーカスサーボ信号を出力する構成であることを特徴とする。
【００１９】
さらに、本発明の光ピックアップの一実施態様において、記光分離手段は、光ディスクからの反射光の外周部の光をフォーカスサーボ用検出光として分離し、光ディスクからの反射光の内周部の光を光ディスクからの再生信号として信号検出部に出力する構成であることを特徴とする。
【００２０】
さらに、本発明の光ピックアップの一実施態様において、前記光分離手段は、光ディスクからの反射光における所定半径より外周部の光をフォーカスサーボ用検出光とし、前記所定半径より内周部の光を再生信号光として分離する構成であり、前記所定半径は、システム規格に応じたレンズの開口数（ＮＡ）に応じて決定される大きさであることを特徴とする。
【００２１】
さらに、本発明の光ピックアップの一実施態様において、前記システム規格に応じたレンズの開口数（ＮＡ）は、ＤＶＤ規格における開口数（ＮＡ）＝０．６、または高密度ＤＶＤ規格における開口数（ＮＡ）＝０．８５であることを特徴とする。
【００２２】
さらに、本発明の光ピックアップの一実施態様において、前記光ピックアップは、さらに、光ディスクに形成された複数の記録層各々に対応した収差補正量に基づく収差補正を実行する収差補正素子、および該収差補正素子の制御を実行する収差補正素子制御手段を有する構成であることを特徴とする。
【００２３】
さらに、本発明の光ピックアップの一実施態様において、前記収差補正素子制御手段は、異なる収差補正量を選択的に適用して、前記収差補正素子の制御を行う構成であり、光ディスクが単層ディスクであるか、多層ディスクであるか、さらに、多層ディスクである場合は、いずれの層に対するデータ記録再生を実行する設定であるかを検出するディスク判別手段からの検出信号に基づいて、適用する収差補正量を選択し、選択補正量に基づく収差補正素子の制御を実行する構成であることを特徴とする。
【００２４】
さらに、本発明の第２の側面は、
複数の記録層を有する光ディスクに対する情報の記録または再生を実行する情報処理装置であり、
光ディスクに対する記録または再生信号の入出力を行なう光ピックアップを有し、
前記光ピックアップは、
レンズを介して入力した光ディスクからの反射光の外周部の光をフォーカスサーボ用検出光として分離する光分離手段と、
前記光分離手段によって分離されたフォーカスサーボ用検出光を入力し、光電変換処理によりフォーカスサーボ信号を出力するフォトディテクタと、
を有することを特徴とする情報処理装置にある。
【００２５】
さらに、本発明の情報処理装置の一実施態様において、前記情報処理装置は、さらに、光ディスクが単層ディスクであるか、多層ディスクであるかを判別し、さらに、多層ディスクである場合は、いずれの層に対するデータ記録再生を実行する設定であるかを検出するディスク判別手段と、前記ディスク判別手段の判別信号を入力し、入力判別信号に応じて、予め設定された収差補正量に従って、記録または再生信号光路上に設定された収差補正素子の制御を実行する収差補正素子制御手段と、を有する構成であることを特徴とする。
【００２６】
さらに、本発明の情報処理装置の一実施態様において、前記光ピックアップにおける光分離手段は、光ディスクからの反射光の経路上に配置された液晶パネルと、偏光ビームスプリッタを含む構成であり、前記液晶パネルは、選択的な配向制御を可能とした液晶を含む構成を有することを特徴とする。
【００２７】
さらに、本発明の情報処理装置の一実施態様において、前記光ピックアップにおけるフォトディテクタは、前記光分離手段によって分離されたフォーカスサーボ用検出光を入力し、非点収差法に基づいてフォーカスサーボ信号を出力する構成であることを特徴とする。
【００２８】
さらに、本発明の情報処理装置の一実施態様において、前記光ピックアップにおける光分離手段は、光ディスクからの反射光の外周部の光をフォーカスサーボ用検出光として分離し、光ディスクからの反射光の内周部の光を光ディスクからの再生信号として信号検出部に出力する構成であることを特徴とする。
【００２９】
さらに、本発明の情報処理装置の一実施態様において、前記光ピックアップにおける光分離手段は、光ディスクからの反射光における所定半径より外周部の光をフォーカスサーボ用検出光とし、前記所定半径より内周部の光を再生信号光として分離する構成であり、前記所定半径は、システム規格に応じたレンズの開口数（ＮＡ）に応じて決定される大きさであることを特徴とする。
【００３０】
さらに、本発明の情報処理装置の一実施態様において、前記システム規格に応じたレンズの開口数（ＮＡ）は、ＤＶＤ規格における開口数（ＮＡ）＝０．６、または高密度ＤＶＤ規格における開口数（ＮＡ）＝０．８５であることを特徴とする。
【００３１】
さらに、本発明の第３の側面は、
情報処理方法であり、
レンズを介して入力した光ディスクからの反射光の外周部の光をフォーカスサーボ用検出光として分離する光分離ステップと、
前記光分離ステップにおいて分離されたフォーカスサーボ用検出光を入力し、光電変換処理によりフォーカスサーボ信号を出力するフォーカスサーボ信号出力ステップと、
を有することを特徴とする情報処理方法にある。
【００３２】
さらに、本発明の情報処理方法の一実施態様において、前記情報処理方法は、さらに、光ディスクが単層ディスクであるか、多層ディスクであるかを判別し、さらに、多層ディスクである場合は、いずれの層に対するデータ記録再生を実行する設定であるかを検出するディスク判別ステップと、前記ディスク判別ステップにおける判別信号を入力し、入力判別信号に応じて、予め設定された収差補正量に従って、記録または再生信号光路上に設定された収差補正素子の制御を実行する収差補正素子制御ステップとを有することを特徴とする。
【００３３】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３４】
本発明の一実施例の構成によれば、複数の積層された記録層を有する光ディスクに対するデータの記録または再生に適用する光ピックアップにおいて、レンズを介して入力した光ディスクからの反射光中、所定半径の外側の外周部光を分離し、この外周光をフォーカスサーボ用検出光としてフォトディテクタに入力して、フォーカスサーボを行なう構成としたので、焦点制御の目的層からの光成分のみが正確な収差補正がなされ、焦点制御の目的とする層以外の他層からの光、いわゆる層間迷光については正確な収差補正のなされないぼやけた光となり、焦点制御の目的層からの光成分を効率的に集光し、これを検出光としたサーボが可能となり、より正確な制御が実現される。
【発明を実施するための最良の形態】
【００３５】
以下、図面を参照しながら本発明の光ピックアップ、および情報処理装置、並びに情報処理方法の詳細について説明する。
【００３６】
図４は、本発明の情報処理装置における光ピックアップの構成を示す図である。図４に示すように、レーザー光源（半導体レーザー）３０１からの出力光の光路上には、コリメータレンズ３０２、回折格子３０３、偏光ビームスプリッタ−１，３０４が順に設けられている。さらに、偏光ビームスプリッタ−１，３０４の光透過側の光路上には、球面収差補正素子−１，３０５、１／４波長板３０６、対物レンズ３０７が順に設けられている。
【００３７】
対物レンズ３０７のレーザー光出力側に多層化された記録層（Ｌ０，Ｌ１）を有する光ディスク２００が位置している。
【００３８】
一方、偏光ビームスプリッタ−１，３０４の復路における光反射側の光路上には、球面収差補正素子−２，３０８、液晶パネル３０９、偏光ビームスプリッタ−２，３１０が順に設けられている。さらに偏光ビームスプリッタ−２，３１０の光反射側の光路上には集光レンズ−２，３１１、円筒形レンズ３１２、フォトディテクタ−２，３１３が順に設けられている。一方、偏光ビームスプリッタ−２，３１０の光透過側の光路上には集光レンズ−１，３１４、フォトディテクタ−１，３１５が順に設けられている。
【００３９】
フォトディテクタ−１，３１５では、光ディスク２００から読み出されたＲＦ信号やトラッキング信号などを検出し、フォトディテクタ−２，３１３では、非点収差法を用いたフォーカスエラー検出を行なう。光ディスク２００からの反射光の経路上に設けられた液晶パネル３０９と、偏光ビームスプリッタ３１０は、対物レンズ３０７の内周部を通るレーザー光と、対物レンズ３０７の外周部を通るレーザー光を分離する光分離手段として機能する。フォトディテクタ−２，３１３では、対物レンズ３０７の外周部を通るレーザー光を受光して、非点収差法を用いたフォーカスエラー検出を行なう。フォトディテクタ−１，３１５では、光ディスク２００から読み出され対物レンズ３０７の内周部を通るレーザー光を受光して、ＲＦ信号やトラッキング信号などを検出する。具体的な光分離処理については、後段で詳細に説明する。
【００４０】
次に、図４に示す光ピックアップを適用した処理について説明する。半導体レーザー３０１から射出された光ビームは、コリメータレンズ３０２による平行光化の後、回折格子３０３を経て偏光ビームスプリッタ−１，３０４に入射する。偏光ビームスプリッタ−１，３０４は偏光鏡を有しており、入射した光ビームは偏光ビームスプリッタ−１，３０４を通過し、球面収差補正素子３０５、１／４波長板３０６、対物レンズ３０７による作用を受けた後、光ディスク２００に入射する。
【００４１】
光ディスク２００から反射されたレーザー光は、対物レンズ３０７、１／４波長板３０６、球面収差補正素子−１，３０５を介して偏光ビームスプリッタ−１，３０４に入射する。復路のレーザー光は、１／４波長板３０６を往復で２回通過したことによる偏光作用により、偏光ビームスプリッタ−１，３０４で反射され、収差補正素子−２，３０８、液晶パネル３０９を介して偏光ビームスプリッタ−２，３１０に入射する。
【００４２】
図５に液晶パネル３０９の構造を示す。液晶パネル３０９は、図５（Ａ）に示すような構成を持つ。図の左側からディスクからの読み取りレーザー光が入射し、右側に出力される。液晶パネル３０９は、透明なガラス基板４０１の内面に透明電極４０２が蒸着されている。さらに、この透明電極４０２の内面には、液晶４０４に所定の分子配向を与えるため配向膜４０３が形成されており、この配向膜４０３の間に、ネマチック液晶などの複屈折を有する液晶４０４が封入されている。
【００４３】
透明電極４０２は、図５（Ｂ）に示すように、液晶パネル３０９の中心位置に円形の開口パターン４１０を中抜きした電極形状とされている。図５（Ｂ）は、図５（Ａ）に示す液晶パネル３０９のレーザー光入射側から見た図である。透明電極４０２は、この円形開口パターン４１０を除いた部分にのみ電圧を印加できるように構成されている。図４に示す液晶板制御回路３２３によって、透明電極４０２に対して電圧が印加される。
【００４４】
ガラス基板４０１の間に封入される液晶４０４のセル厚ｄは、この液晶中を通過するレーザー光に、波長の１／２又はその奇数倍の位相差を与えるような厚み、すなわち、図６に示すように、液晶分子Ｍの複屈折をΔｎとするとき、
Δｎ・ｄ＝λ／２、３λ／２、５λ／２、‥
を満足するような厚さに設定される。図６中、ｎ１は液晶分子Ｍの光学軸方向の屈折率、ｎ２はこれと直交する方向の屈折率である。尚、複屈折Δｎが正（Δｎ＞０）の液晶をＰ型液晶、複屈折Δｎが負（Δｎ＜０）の液晶をＮ型液晶と呼んでいる。
【００４５】
なお、図５に示す液晶パネル３０９はＰ型液晶を用いた場合の例であって、同図（Ａ）の断面方向から見たとき、液晶分子Ｍの光学軸（図６参照）がガラス基板と平行で、かつ（Ｂ）の平面方向から見たとき、液晶分子Ｍの光学軸が４５°方向、すなわち対角線方向を向くように、配向膜によって分子配向が与えられている。液晶分子Ｍの光学軸は光の偏光面を与える。従って、図４に示す光ピックアップに構成された液晶パネル３０９の場合、偏光面は対角線方向（４５°方向）となっている。そしてこのような構成になる液晶パネルを、図４に示すように、その偏光面Ｐが偏光ビームスプリッタの偏光面Ｐと４５°の傾きをもって交わるように配置するものである。
【００４６】
次に、このように構成した光ピックアップの動作を説明する。まず、図４に示す液晶板制御回路３２３から液晶パネル３０９の透明電極に対して所定の電圧が印加された場合の液晶パネル３０９の状態について、図７を参照して説明する。
【００４７】
液晶板制御回路３２３から液晶パネル３０９の透明電極４０２に対して所定の電圧が印加された場合、図７（Ａ）（Ｂ）に示すように、円形開口パターン４１０の部分の液晶は平行配向のままであり、１／２波長板として作用する。一方、透明電極４０２の形成部分は、図７（Ａ）に示すように垂直配向となり、この部分は１／２波長板として作用しなくなる。このため、円形開口パターン４１０部分のみが１／２波長板として作用する。
【００４８】
このように円形開口パターン４１０部分のみが１／２波長板として作用すると、この円形開口パターン４１０部分を通るレーザー光のみが偏光されて振動方向が９０°回転され、円形開口パターン４１０部分以外の外周部を通るレーザー光は偏光されることがない。
【００４９】
図４に示す偏光ビームスプリッタ−１，３０４で反射され液晶パネル３０９に入射するレーザー光はＳ偏光、すなわち、振動方向が紙面に垂直な偏光であり、液晶パネル３０９を通過すると、液晶パネル３０９内の１／２波長板として作用する円形開口パターン４１０内を通過したレーザー光はＰ偏光、すなわち振動方向が紙面内で光軸に垂直方向の偏光となり、偏光ビームスプリッタ−２，３１０の偏光膜のついた面で反射されることなく、そのまま偏光ビームスプリッタ−２，３１０を通過する。一方、円形開口パターン４１０の外側を通過したレーザー光はＳ偏光のままなので、偏光ビームスプリッタ−２，３１０の偏光膜の付いた反射面で反射され、フォトディテクタ−２，３１３側に向かう。
【００５０】
液晶パネル３０９内の１／２波長板として作用する円形開口パターン４１０内を通過したレーザー光は偏光ビームスプリッタ−２，３１１を通過しし、集光レンズ−１，３１４を介してフォトディテクタ−１，３１５に入射し、他方、液晶パネル３０９の円形開口パターン４１０の外側を通過したレーザー光は、偏光ビームスプリッタ−２，３１０の反射面で反射され、集光レンズ−２，３１１、円筒レンズ３１２を介してフォトディテクタ−２，３１３に入射する。
【００５１】
すなわち、光ディスク２００からの光を入力する対物レンズ３０７を通るレーザー光のうち、レンズ内周部を通るレーザー光が再生信号光としてフォトディテクタ−１，３１５で検出され、レンズ外周部を通るレーザー光が、フォーカスサーボ用信号光として、フォトディテクタ−２，３１３において検出される。
【００５２】
フォトディテクタ−１，３１５では、対物レンズ３０７の内周部を通るレーザー光を受光して、光ディスク２００から読み出されたＲＦ信号やトラッキング信号などを検出し、フォトディテクタ−２，３１３では、対物レンズ３０７の外周部を通るレーザー光を受光して、非点収差法を用いたフォーカスエラー検出を行なう。
【００５３】
このように、光ディスク２００からの反射光の経路上に設けられた液晶パネル３０９と、偏光ビームスプリッタ３１０は、対物レンズ３０７の内周部を通るレーザー光と、対物レンズ３０７の外周部を通るレーザー光を分離する光分離手段として機能する。フォトディテクタ−２，３１３では、対物レンズ３０７の外周部を通るレーザー光を受光して、非点収差法を用いたフォーカスエラー検出を行なう。
【００５４】
なお、上述した構成例では、液晶パネル３０９の液晶を、電極部の形成パターンに従って配向制御を行い、１／２波長板として作用する部分を設定する構成、すなわち、選択的配向制御可能な液晶パネルとして構成した例を説明したが、例えば、円形パターンの部分にのみ所定の配向を有する液晶を封入し、電極及び液晶板制御回路を廃止する構成としてもよい。また、液晶パネル３０９自体を円形パターンの形状を有する１／２波長板で置き換える構成としてもよい。
【００５５】
次に、ディスク種類判別、及び球面収差補正処理について説明する。先に、図２を参照して説明したように、２層ディスクは光ピックアップ側から順に、基材、Ｌ０層（第１の記録層）、中間層、Ｌ１層（第２の記録層）、裏面の保護層という構成になっている。
【００５６】
標準的な２層ＤＶＤディスクの例では、図８（Ａ）に示すように、基材厚みが５７０μｍ、中間層厚みが５５μｍとなっている。一方、ＤＶＤの単層ディスクでは、図８（Ｂ）に示すように、基材厚みは６００μｍが標準である。すなわち、２層ディスクのＬ０層では、標準的な単層ディスクに対して基材厚みが３０μｍ薄く、またＬ１層では標準的な単層ディスクに対して基材厚みが２５μｍ厚いことになる。
【００５７】
従って、Ｌ０層、Ｌ１層にレーザー光を合焦して記録再生を行なう時は、夫々の厚みに応じた球面収差を補正する必要がある。例えば基準ディスクの基材厚みを６００μｍとする。図４に示す収差補正素子制御手段３２２には、
収差補正量（ａ）（球面収差補正量０ｍλ）、
収差補正量（ｂ）（基準ディスクに対して基材厚みが３０μｍ薄い光ディスクを補正する場合の球面収差補正量）、及び
収差補正量（ｃ）（基準ディスクに対して基材厚みが２５μｍ厚い光ディスクを補正する場合の球面収差補正量）
これらの３種類の収差補正量が予め設定されている。
【００５８】
図４に示すディスク判別手段３２１は、光ディスクが単層ディスクであるか、２層ディスクであるかを判別し、さらに、２層ディスクである場合は、Ｌ０，Ｌ１のいずれの層に対するデータ記録再生を実行する設定にあるかを判別し、その判別信号を収差補正素子制御手段３２２に出力する。
【００５９】
収差補正素子制御手段３２２は、
光ディスクが単層ディスクである場合は、
収差補正量（ａ）（球面収差補正量０ｍλ）、
光ディスクが、２層ディスクであり、Ｌ０層に対するデータ記録再生を実行している場合は、
収差補正量（ｂ）（基準ディスクに対して基材厚みが３０μｍ薄い光ディスクを補正する場合の球面収差補正量）、
光ディスクが、２層ディスクであり、Ｌ１層に対するデータ記録再生を実行している場合は、
収差補正量（ｃ）（基準ディスクに対して基材厚みが２５μｍ厚い光ディスクを補正する場合の球面収差補正量）
の各収差補正量に応じて、収差補正素子−１，３０５と収差補正素子−２，３０８の制御を行なう。
【００６０】
収差補正素子−１，３０５と収差補正素子−２，３０８を適用した球面収差補正処理の詳細について説明する。球面収差補正の動作は、例えば光ディスクが光ディスク装置に装着された時、又は光ディスク装置の電源を入れた時に開始することができる。最初にディスク判別手段３２１により光ディスクの種類が判別される。単層の記録層を有する光ディスクであると判定された場合には、ディスク判別手段３２１は、装着ディスクが単層ディスクであることを示す識別信号を収差補正素子制御手段３２２に出力する。
【００６１】
収差補正素子制御手段３２２は、装着ディスクが単層ディスクであることを示す識別信号を入力すると、収差補正量（ａ）を選択し、基準ディスクとの基材厚誤差０μｍに相当する球面収差の補正を実行するように、収差補正素子−１，３０５と収差補正素子−２，３０８を制御する。この結果、その後、この記録層に対して行なわれるフォーカス制御において安定なフォーカスエラー信号を得ることができる。
【００６２】
また、ディスク判別手段３２１から、装着ディスクが、２層の記録層を有する光ディスクであり、Ｌ０層に対するデータ記録再生を実行する設定にあるとの判定信号が、収差補正素子制御手段３２２に入力されると、収差補正素子制御手段３２２は、収差補正量（ｂ）を選択し、基準ディスクとの基材厚誤差が薄い側に３０μｍに相当する球面収差の補正を実行するように、収差補正素子−１，３０５と収差補正素子−２，３０８を制御する。この結果、その後、この記録層（Ｌ０）に対して行なわれるフォーカス制御において安定なフォーカスエラー信号を得ることができる。
【００６３】
また、ディスク判別手段３２１から、装着ディスクが、２層の記録層を有する光ディスクであり、Ｌ１層に対するデータ記録再生を実行する設定にあるとの判定信号が、収差補正素子制御手段３２２に入力されると、収差補正素子制御手段３２２は、収差補正量（ｃ）を選択し、基準ディスクとの基材厚誤差が厚い側に２５μｍに相当する球面収差の補正を実行するように、収差補正素子−１，３０５と収差補正素子−２，３０８を制御する。この結果、その後、この記録層（Ｌ１）に対して行なわれるフォーカス制御において安定なフォーカスエラー信号を得ることができる。
【００６４】
球面収差補正素子は、例えば液晶素子など、元の波面に対して位相分布を与えることで球面収差を補正するもので、多分割された素子のそれぞれに異なる電圧、或いは電流を印加すると、印加された電圧、電流に従って液晶分子の配向が偏倚される。これにより、液晶パネルを通過するレーザー光の進行方向に垂直な断面内で屈折率を任意に設定することができ、レーザー光の波面の位相を分割領域的に制御することができる。
【００６５】
次に、図９を参照して、光学光ピックアップに設けられた収差補正素子として、液晶素子を用いた例を説明する。図４に示す収差補正素子−１，３０３、収差補正素子−２，３０８としては、例えば図９（Ａ）に示す液晶パネル５００を適用することができる。
【００６６】
液晶パネル５００には、図９（Ａ）に示すように同心円状の電極５０１〜５０５が構成される。これらの電極は、透明電極であり、レーザー光を通過させる。図９（Ｂ）、図９（Ａ）に示す各電極５０１〜５０５に対する波面収差補正のための駆動レベルを示している。
【００６７】
液晶パネル５００は、ガラス基板で屈折率異方性を持つ液晶分子が所定の向きに配向されている。そして、上側（又は下側）の透明電極で構成される同心円状の電極５０１〜５０５に対向する他方の電極が形成されている。
【００６８】
このような構成の液晶パネル５００の各電極５０１〜５０５それぞれ駆動電圧を印加すると、印加される電圧による電界に従って液晶分子の配向が偏倚される。これにより、液晶パネル５００を透過する光束の進行方向に垂直な断面内での屈折率分布を任意に設定することができ、光束の波面の位相を分割領域毎に制御することができる。
【００６９】
例えば、図９（Ａ）に示すように、電極５０１を半径ｒ０である円形電極の領域Ａ１、電極５０２を外側半径ｒ１で内側半径ｒ０である中空円形電極の領域Ａ２、電極５０３を外側半径ｒ２で内側半径ｒ１である中空円形電極の領域Ａ３、電極５０４を外側半径ｒ３で内側半径ｒ２で中空円形電極の領域Ａ４、電極５０５を内側半径ｒ３の円形に抜かれた電極の領域Ａ５を持つ５分割パターンによる液晶パネル５００を用いる場合について説明する。
【００７０】
このような液晶パネル５００の各電極５０１〜５０５に対し図９（Ｂ）に示すように、電極５０１及び電極５０５には０、電極５０２及び電極５０４にはそれぞれｄ１、ｄ３、電極５０３にはｄ２に示すレベルに相当する電圧を印加する。各電極の間には図示しない電極分離間隙を持つ。ここでｄ１とｄ３を同じレベルにとし、光ビームの中心と各電極の同心円の中心が一致するようになし、各半径ｒ０〜ｒ３を光ビームの半径方向の波面収差量に対応する値を選択することにより、この例では、電極５０１〜５０５の駆動レベルを０、ｄ１、ｄ３の３値でデジタル信号として簡単な駆動回路で選択切換えができ、透過光束に対して位相差を与えることにより波面収差を補正することができる。その他の詳細は、特開平１０−２６９６１１号公報に記載の通りである。
【００７１】
本実施の形態の情報処理装置ではフォーカス制御を動作させる前に、フォーカス制御を行う光ディスクの記録または再生面に対応して、前述した収差補正量（ａ）〜（ｃ）のいずれかの補正量に応じた球面収差補正を予め実行しておくことにより、その後のフォーカス制御において良好なフォーカスエラー信号を得ることができ、安定にフォーカス制御を動作させることができる。
【００７２】
このように、本実施の形態ではフォーカス制御を動作させる前に球面収差補正を開始する。前述したように、球面収差の補正量は、フォーカス制御を行う光ディスクの記録面ごとに予め決めておき、ディスクの種類と対象とする記録面に応じて選択して切り替える。なお、上述した実施例では、収差補正素子制御手段３２２で選択できる収差補正量を基準ディスクに対して＋２５／−３０μｍの基材厚誤差を想定したが、これは１つの例であり、本発明はこの基材厚誤差に限定されない。例えば２層ディスクの標準的な中間層厚に基づいて収差補正量を決めても同様の結果を得ることができる。即ち、２層ディスクの一方の記録面に対する球面収差補正量を０ｍλとし、他方の記録面に対する球面収差補正量は、標準的な中間層厚を考慮して設定することができる。
【００７３】
なお、ディスク判別手段３２１による光ディスクの種類の判別方法としては、光ディスクを収納するカートリッジに判別用の穴を開け、この穴を検出して判別する方法、カートリッジの形状により判別する方法、光ディスクからの反射光量より単層ディスクと２層ディスクを判別する方法など光ディスクの種類および記録再生面を判別できる手法であれば何れでも適用できる。
【００７４】
上述した手順により、２層ディスクのＬ０層に合焦した時には、Ｌ０層の厚みに対する球面収差は補正されＬ０層へは良好な記録再生が可能であるが、この時、Ｌ１層から反射される反射光については中間層厚みに相当する球面収差が残ることになる。同様に、Ｌ１層に合焦した時には、Ｌ１層の厚みに対する球面収差は補正されＬ１層へは良好な記録再生が可能であるが、Ｌ０層から反射される反射光については中間層厚みに相当する球面収差が残ることになる。
【００７５】
球面収差は対物レンズの開口数（ＮＡ）に依存し、開口数の４乗に比例して大きくなることが知られている。すなわち、球面収差を有する光束に対して対物レンズ外周部を通るレーザー光は大きな球面収差を受けることになる。
【００７６】
フォーカスサーボを実行するための検出光を入力するフォトディテクタ−２，３１３には、前述したように、図４の光ピックアップ構成における液晶パネル３０９の円形開口パターン４１０の外側部を通過した光が選択されて入力される。図１０を参照してフォトディテクタ−２，３１３における入射光とフォーカスサーボ制御処理について説明する。
【００７７】
前述したように、フォーカスサーボは、非点収差法によって実行される。フォトディテクタ−２，３１３は、図１０に示すように、Ａ，Ｂ，Ｃ，Ｄの４分割されたフォトディテクタを有し、ここに、図４に示す光ピックアップ構成における液晶パネル３０９の円形開口パターン４１０の外側部を通過した光が、偏光ビームスプリッタ−２，３１０によって反射され、集光レンズ−２，３１１、円筒レンズ３１２を介して入力される。図１０に示すように、フォトディテクタ−２，３１３における入射光は、リング状の検出光６００となる。非点収差法では、（Ａ＋Ｃ）−（Ｂ＋Ｄ）の信号情報を生成し、この生成情報に基づいてフォーカスサーボ信号を得る。
【００７８】
リング状の検出光６００には、フォーカスサーボの対象層、すなわちデータ記録または再生の実行層から反射するレーザー光と、記録または再生の対象となっていない層からの反射光、すなわち層間迷光の各光成分が含まれることになる。しかし、本発明の構成によれば、以下に説明するように、図４に示す光ピックアップ構成によって、フォトディテクタ−２，３１３における入射光に含まれる層間迷光成分は、データ記録または再生の実行層から反射するレーザー光の成分に比較して極めて低減されたものとなり、層間迷光成分によるエラーを起こすことなく、正確なフォーカスサーボが実現される。
【００７９】
フォトディテクタ−２，３１３における入射光に含まれる層間迷光成分が、データ記録または再生の実行層から反射するレーザー光の成分に比較して極めて低減されたものとなる理由について説明する。図４の光ピックアップ構成における液晶パネル３０９の円形開口パターン４１０の外側部を通過し、偏光ビームスプリッタ−２，３１０で反射されるレーザー光のうち、フォーカス制御の対象層、すなわちデータ記録または再生対象となる記録層からの反射光については、収差補正素子制御手段３２２による収差補正素子１，２の制御により、的確な球面収差補正がなされてフォトディテクタ−２，３１３に対して良好な焦点を結ぶ光となる。しかし、フォーカス制御の対象層以外の他方の層からの反射光（迷光）については、その層からの反射光に対応する収差補正は実行されていない。
【００８０】
しかも、前述したように、球面収差は対物レンズの開口数（ＮＡ）に依存し、開口数の４乗に比例して大きくなることが知られている。すなわち、球面収差を有する光束に対して対物レンズ外周部を通るレーザー光は大きな球面収差を受けることになる。従って、収差補正のなされていないフォーカス制御の対象層以外の他方の層からの反射光（迷光）は、大きな球面収差を生じた反射光となり、フォトディテクタ−２，３１３での結像はよりぼやけたものとなり、図１０に示す検出光６００に含まれる迷光成分は、極めて低減されたレベルとなる。
【００８１】
結果として、フォーカスサーボを実行するための検出光を入力するフォトディテクタ−２，３１３は、層間迷光成分によるエラーを起こすことなく、正確なフォーカスサーボを行なうための非点収差信号を得ることが可能となる。
【００８２】
なお、開口数（ＮＡ）が変わると光ディスク記録面に集光されるレーザー光のエアリディスク径（φ）は変化し、波長λのレーザー光の時は、φ＝１．２２×λ／ＮＡとなる。すなわち開口数が大きくなるとレーザー光のエアリディスクは小さくなり、ＲＦ信号のＭＴＦ（Ｍｏｄｕｌａｔｅｄ  Ｔｒａｎｓｆｅｒ  Ｆｕｎｃｔｉｏｎ）は広帯域になる。
【００８３】
対物レンズの開口数（ＮＡ）を大きくして、光ディスク上の集光スポットの径を小さくして、光ディスクの高密度化を実現しようとする開発が多く行なわれている。例えばＣＤにおける対物レンズの開口数（ＮＡ）は０．４、ＤＶＤでは開口数（ＮＡ）は０．６と規定され、さらに、次世代の高密度記録ＤＶＤでの開口数（ＮＡ）は０．８５が予定されている。
【００８４】
例えば、開口数（ＮＡ）＝０．６としたＤＶＤシステムにおいて、本発明の構成を適用する場合、本発明の構成では、図４に示すフォトディテクタ−１，３１５において、ディスクからの読み取り信号、すなわちＲＦ信号を検出するので、フォトディテクタ−１，３１５に入射するレーザー光は、対物レンズ３０７の光束の開口が０．６の部分のレーザー光となる。なお、フォトディテクタ−２，３１３には開口が０．６より大きい部分のレーザー光が、フォーカスサーボ用信号として入射することになるが、フォーカス検出はＲＦ検出より帯域が狭いので、開口が大きくなったことによる影響は小さい。
【００８５】
例えば、開口数（ＮＡ）＝０．８５とした次世代ＤＶＤシステムにおいては、フォトディテクタ−１，３１５に入射するレーザー光は、対物レンズ３０７の光束の開口が０．８５の部分のレーザー光となる。フォトディテクタ−２，３１３には開口が０８５より大きい部分のレーザー光が、フォーカスサーボ用信号として入射することになる。
【００８６】
このように、各システムにおいて規定された開口数（ＮＡ）に応じた信号光の検出が、フォトディテクタ−１，３１５において検出されるように、液晶パネル３０９における透明電極構成を調整することが好ましい。すなわち、本発明の光ピックアップ構成は、光ディスクからの反射光における所定半径より外周部の光をフォーカスサーボ用検出光とし、所定半径より内周部の光を再生信号光として分離する構成を有し、所定半径は、システム規格に応じたレンズの開口数（ＮＡ）に応じて決定される半径となる。
【００８７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【産業上の利用可能性】
【００８８】
以上、説明したように、本発明の一実施例の構成によれば、複数の積層された記録層を有する光ディスクに対するデータの記録または再生に適用する光ピックアップにおいて、レンズを介して入力した光ディスクからの反射光中、所定半径の外側の外周部光を分離し、この外周光をフォーカスサーボ用検出光としてフォトディテクタに入力して、フォーカスサーボを行なう構成としたので、焦点制御の目的層からの光成分のみが正確な収差補正がなされ、焦点制御の目的とする層以外の他層からの光、いわゆる層間迷光については正確な収差補正のなされないぼやけた光となり、焦点制御の目的層からの光成分を効率的に集光し、これを検出光としたサーボが可能となり、より正確な制御が実現される。
【図面の簡単な説明】
【００８９】
【図１】従来の光ピックアップ装置構成を示す図である。
【図２】多層ディスクの構成を説明する図である。
【図３】従来の多層ディスクに対するフォーカスサーボ構成について説明する図である。
【図４】本発明の一実施例に従った光ピックアップ装置構成を示す図である。
【図５】光ピックアップ中の液晶パネルの一実施例構成について説明する図である。
【図６】液晶パネルを構成する液晶分子について説明する図である。
【図７】光ピックアップ中の液晶パネルの制御例について説明する図である。
【図８】多層ディスクと単層ディスクの仕様例について説明する図である。
【図９】球面収差補正素子の構成例について説明する図である。
【図１０】フォーカスサーボ用のフォトディテクタの構成、および処理について説明する図である。
【符号の説明】
【００９０】
１００  半導体レーザー
１０２  コリメータレンズ
１０４  回折格子
１０６  偏光ビームスプリッタ
１０８  １／４波長板
１１０  対物レンズ
１１２  光ディスク
１１４  集光レンズ
１１６  円筒レンズ
１１８  フォトディテクタ
１５０  光ディスク
１５１  基板
１５２  第１の記録層
１５３  中間層
１５４  第２の記録層
１５５  保護層
１７０  光ディスク
１７０ａ〜ｄ  記録層
１７２  ピンホール
１７４  検出器
１７６  球面収差補正系（焦点調節補正系）
１７８  検出器
１８０  トラッキング制御系
１８２  記録層選択制御系
１８４，１８６  レンズ
２００  光ディスク
３０１  レーザー光源（半導体レーザー）
３０２  コリメータレンズ
３０３  回折格子
３０４  偏光ビームスプリッタ−１
３０５  球面収差補正素子−１
３０６  １／４波長板
３０７  対物レンズ
３０８  球面収差補正素子−２
３０９  液晶パネル
３１０  偏光ビームスプリッタ−２
３１１  集光レンズ−２
３１２  円筒形レンズ
３１３  フォトディテクタ−２
３１４  集光レンズ−１
３１５  フォトディテクタ−１
４０１  ガラス基板
４０２  透明電極
４０３  配向膜
４０４  液晶
４１０  円形配向パターン
５００  液晶パネル
５０１〜５０５  電極
６００  検出光
【図１】
2006338758.tif 000003
【図２】
2006338758.tif 000004
【図３】
2006338758.tif 000005
【図４】
2006338758.tif 000006
【図５】
2006338758.tif 000007
【図６】
2006338758.tif 000008
【図７】
2006338758.tif 000009
【図８】
2006338758.tif 000010
【図９】
2006338758.tif 000011
【図１０】
2006338758.tif 000012